(57)【要約】【課題】本開示は、輝度が良好なＬＥＤ表示装置およびこれに用いられるＬＥＤ表示装置用基板を提供することを主目的とする。【解決手段】本開示は、基材と、上記基材の一方の面側に配置された発光ダイオード素子と、上記基材の上記発光ダイオード素子が配置された面側と同一の面側に配置され、上記発光ダイオード素子が配置された領域と平面視上重なる開口を有する遮光部材とを有する発光ダイオード表示装置であって、上記基材および上記遮光部材の間に配置された反射部を上記発光ダイオード素子の周囲に備える、発光ダイオード表示装置を提供する。【選択図】図１
2019134025.tif 000002
【特許請求の範囲】
【請求項１】
基材と、
前記基材の一方の面側に配置された発光ダイオード素子と、
前記基材の前記発光ダイオード素子が配置された面側と同一の面側に配置され、前記発光ダイオード素子が配置された領域と平面視上重なる開口を有する遮光部材とを有する発光ダイオード表示装置であって、
前記基材および前記遮光部材の間に配置された反射部を前記発光ダイオード素子の周囲に備える、発光ダイオード表示装置。
【請求項２】
前記発光ダイオード表示装置は、前記基材および前記遮光部材の間に配置され、前記発光ダイオード素子の周囲に配置された隔壁部材をさらに有し、前記隔壁部材は、前記発光ダイオード素子側の側面に前記反射部を備え、
前記隔壁部材の前記基材側の面と、前記反射部を備える前記側面とのなす角が鋭角であり、
前記遮光部材の前記開口側の端部が、前記隔壁部材の前記遮光部材側の面の端部よりも前記発光ダイオード素子側に位置する、請求項１に記載の発光ダイオード表示装置。
【請求項３】
前記発光ダイオード表示装置は、前記基材および前記遮光部材の間に配置され、前記発光ダイオード素子の周囲に配置された隔壁部材をさらに有し、前記隔壁部材は、前記発光ダイオード素子側の側面に前記反射部を備え、
前記隔壁部材の前記基材側の面と、前記反射部を備える前記側面とのなす角が垂直である、請求項１に記載の発光ダイオード表示装置。
【請求項４】
基材と、
前記基材の一方の面側に配置された反射部とを有し、
前記反射部を、発光ダイオード素子が配置される領域の周囲に備える、発光ダイオード表示装置用基板。
【請求項５】
前記発光ダイオード表示装置用基板は、前記基材の一方の面側に配置され、前記発光ダイオード素子が配置される領域の周囲に配置された隔壁部材をさらに有し、前記隔壁部材は、前記発光ダイオード素子側の側面に前記反射部を備え、
前記隔壁部材は、前記基材側の面と、前記反射部を備える前記側面とのなす角が垂直である、請求項４に記載の発光ダイオード表示装置用基板。
【発明の詳細な説明】
【技術分野】
【０００１】
本開示は、輝度が良好である発光ダイオード表示装置および発光ダイオード表示装置用基板に関する。
【背景技術】
【０００２】
発光ダイオード素子を画素として用いた表示装置は、自己発色によりに視認性が高いこと、全固体ディスプレイであるため耐衝撃性が高いこと、応答速度が速いこと、視野角が大きいこと等の利点を有し、種々の用途への適用が期待されている。なお、以下の説明において発光ダイオードをＬＥＤと称して説明する場合がある。
【０００３】
なお、ディスプレイに関する技術ではないが、例えば、特許文献１には、ＬＥＤ素子の周囲に反射層を設けた照明装置が開示されている。
【先行技術文献】
【特許文献】
【０００４】
【特許文献１】特開２０１７−７６８０９号公報
【発明の概要】
【発明が解決しようとする課題】
【０００５】
ＬＥＤ表示装置は、高性能化のため、輝度を高くすることが求められている。
本開示は上記実情に鑑みてなされた発明であり、輝度が良好であるＬＥＤ表示装置、およびこれを得るためのＬＥＤ表示装置用基板を提供することを主目的とする。
【課題を解決するための手段】
【０００６】
本開示は、基材と、上記基材の一方の面側に配置されたＬＥＤ素子と、上記基材の上記ＬＥＤ素子が配置された面側と同一の面側に配置され、上記ＬＥＤ素子が配置された領域と平面視上重なる開口を有する遮光部材とを有するＬＥＤ表示装置であって、上記基材および上記遮光部材の間に配置された反射部を上記ＬＥＤ素子の周囲に備える、ＬＥＤ表示装置を提供する。
【０００７】
本開示によれば、上述した反射部を備えることにより、輝度が良好であるＬＥＤ表示装置とすることができる。
【０００８】
上記開示においては、上記ＬＥＤ表示装置は、上記基材および上記遮光部材の間に配置され、上記ＬＥＤ素子の周囲に配置された隔壁部材をさらに有し、上記隔壁部材は、上記ＬＥＤ素子側の側面に上記反射部を備え、上記隔壁部材の上記基材側の面と、上記反射部を備える上記側面とのなす角が鋭角であり、上記遮光部材の上記開口側の端部が、上記隔壁部材の上記遮光部材側の面の端部よりも上記ＬＥＤ素子側に位置することが好ましい。反射部における外光反射を抑制することができるからである。
【０００９】
上記開示においては、上記ＬＥＤ表示装置は、上記基材および上記遮光部材の間に配置され、上記ＬＥＤ素子の周囲に配置された隔壁部材をさらに有し、上記隔壁部材は、上記ＬＥＤ素子側の側面に上記反射部を備え、上記隔壁部材の上記基材側の面と、上記反射部を備える上記側面とのなす角が垂直であることが好ましい。反射部における外光反射を抑制することができるからである。
【００１０】
本開示は、基材と、上記基材の一方の面側に配置された反射部とを有し、上記反射部を、ＬＥＤ素子が配置される領域の周囲に備える、ＬＥＤ表示装置用基板を提供する。
【００１１】
本開示によれば、上述した反射部を備えることにより、ＬＥＤ表示装置に用いた際に、輝度を良好にすることができる。
【００１２】
上記開示においては、上記ＬＥＤ表示装置用基板は、上記基材の一方の面側に配置され、上記ＬＥＤ素子が配置される領域の周囲に配置された隔壁部材をさらに有し、上記隔壁部材は、上記ＬＥＤ素子側の側面に上記反射部を備え、上記隔壁部材は、上記基材側の面と、上記反射部を備える上記側面とのなす角が垂直であることが好ましい。反射部における外光反射を抑制することができるからである。
【発明の効果】
【００１３】
本開示のＬＥＤ表示装置は、輝度が良好であるといった効果を奏する。
【図面の簡単な説明】
【００１４】
【図１】本開示のＬＥＤ表示装置を例示する概略平面図および概略断面図である。
【図２】本開示のＬＥＤ表示装置の効果を説明する図である。
【図３】本開示のＬＥＤ表示装置を例示する概略断面図である。
【図４】本開示における隔壁部材の調整方法の一例を示す説明図である。
【図５】反射部による外光反射の低減効果を説明する説明図である。
【図６】本開示のＬＥＤ表示装置を例示する概略断面図である。
【図７】本開示のＬＥＤ表示装置を例示する概略断面図である。
【図８】本開示における隔壁部材の配置を説明する概略平面図である。
【図９】本開示における隔壁部材の配置を説明する概略平面図である。
【図１０】本開示のＬＥＤ表示装置を例示する概略断面図である。
【図１１】本開示のＬＥＤ表示装置を例示する概略断面図である。
【図１２】本開示のＬＥＤ表示装置を例示する概略断面図である。
【図１３】本開示における遮光部材を例示する概略平面図である。
【図１４】本開示のＬＥＤ表示装置用基板を例示する概略断面図である。
【図１５】従来のＬＥＤ表示装置を説明する図である。
【発明を実施するための形態】
【００１５】
以下、本開示のＬＥＤ表示装置およびＬＥＤ表示装置用基板の詳細を説明する。
【００１６】
Ａ．ＬＥＤ表示装置
本開示のＬＥＤ表示装置は、基材と、上記基材の一方の面側に配置されたＬＥＤ素子と、上記基材の上記ＬＥＤ素子が配置された面側と同一の面側に配置され、上記ＬＥＤ素子が配置された領域と平面視上重なる開口を有する遮光部材とを有するＬＥＤ表示装置であって、上記基材および上記遮光部材の間に配置された反射部を上記ＬＥＤ素子の周囲に備える。
【００１７】
本開示のＬＥＤ表示装置について図を用いて説明する。なお、本明細書における図面は説明をより明確にするため、実際の形態に比べ、各部の幅、厚さ、形状等について模式的に表わされる場合があるが、あくまで一例であって、本開示の解釈を限定するものではない。また、本明細書と各図において、既出の図に関して前述したものと同様の要素には、同一の符号を付して、詳細な説明を適宜省略することがある。
【００１８】
図１（ａ）は本開示のＬＥＤ表示装置の一例を示す概略平面図であり、観察者側から見た概略平面図である。図１（ｂ）は図１（ａ）のＡ−Ａ線断面図である。図１（ａ）、（ｂ）に示されるＬＥＤ表示装置１０は、基材１と、基材１の一方の面側に配置されたＬＥＤ素子２と、基材１のＬＥＤ素子２が配置された面側と同一の面側に配置され、ＬＥＤ素子２が配置された領域と平面視上重なる開口を有する遮光部材３とを有する。ＬＥＤ表示装置１０は、基材１および遮光部材３の間に配置された反射部４ａをＬＥＤ素子２の周囲に備える。図１（ａ）、（ｂ）では、ＬＥＤ表示装置１０が、基材１および遮光部材３の間に配置され、ＬＥＤ素子２の周囲に配置された隔壁部材４をさらに有し、隔壁部材４が、ＬＥＤ素子２側の側面４ｓに反射部４ａを備える例を示している。ＬＥＤ表示装置１０は、通常、赤色ＬＥＤ素子２Ｒ、緑色ＬＥＤ素子２Ｇおよび青色ＬＥＤ素子２Ｂの３色のＬＥＤ素子２を少なくとも有する。また、ＬＥＤ表示装置１０は、ＬＥＤ素子２を封止する封止部材５を有していてもよい。ＬＥＤ表示装置１０は、例えば、薄膜トランジスタおよび配線部材の少なくともいずれかをさらに有していてもよい。ＬＥＤ表示装置１０は、例えば、図１（ｂ）中、符号６、７で示される構成として薄膜トランジスタを有していてもよく、符号６、７に示される構成として配線部材を有していてもよく、符号６、７で示される構成として薄膜トランジスタと配線部材との両方を有していてもよい。薄膜トランジスタおよび配線部材は、ＬＥＤ表示装置の構成に応じて適宜選択して用いることができる。ＬＥＤ表示装置１０は、例えば、保護部材８をさらに有していてもよい。図１（ｂ）に示すように、ＬＥＤ表示装置１０は、その積層面側から見たとき、通常、基材１、ＬＥＤ素子２および遮光部材３がこの順で配置された層構成を有する。以下の説明において、観察者Ｈから表示画像が観察される方向を表示部方向と称して説明する場合がある。また、観察者Ｈから表示画像が観察される側のＬＥＤ表示装置の面を表示面と称して説明する場合がある。なお、「ＬＥＤ表示装置の積層面」とは、基材、ＬＥＤ素子および遮光部材がこの順に積層された積層体の積層面をいう。
【００１９】
本開示によれば、上述した反射部を備えることにより、輝度が良好なＬＥＤ表示装置とすることができる。
ＬＥＤ表示装置は、高性能化のため、輝度を高くすることが求められている。従来のＬＥＤ表示装置において十分は輝度が得られない理由としては、ＬＥＤ素子からの光の利用効率が低いことが挙げられる。具体的には、図１５に示すように、ＬＥＤ素子２は、あらゆる方向の光を発光する。従来のＬＥＤ表示装置３０においては、表示部方向に進行した光Ｌ１、Ｌ２は表示に利用することができるものの、表示部方向以外の方向に進行した光Ｌ３は表示に利用することができない。
これに対し、本開示においては、上述した反射部を備えることにより、図２に示すように、ＬＥＤ素子２からの光のうち、表示部方向以外の方向に進行する光Ｌ３を、反射部４ａを用いて反射させることで表示部方向に進行させることができる。その結果、光Ｌ１、Ｌ２だけでなく光Ｌ３を表示に利用することができるため、ＬＥＤ素子からの光の利用効率を高めることができる。
本開示のＬＥＤ表示装置は、反射部を備えることにより、特にＬＥＤ表示装置１０の面方向に進行する光を反射させて表示に利用することができる。
【００２０】
以下、本開示のＬＥＤ表示装置について構成ごとに説明する。
【００２１】
１．反射部
本開示における反射部は、上記基材および上記遮光部材の間に配置され、上記ＬＥＤ素子の周囲に備えられる部材である。
反射部は、通常、可視光を反射する。本明細書において、「可視光」とは、波長３８０ｎｍ以上７８０ｎｍ以下の波長域の光をいう。
【００２２】
反射部は、基材および遮光部材の間に配置することができれば特に限定されない。また、反射部は、ＬＥＤ素子の周囲に備えることができれば特に限定されない。本開示においては、例えば、ＬＥＤ表示装置が、上記基材および上記遮光部材の間に配置され、上記ＬＥＤ素子の周囲に配置された隔壁部材をさらに有し、上記隔壁部材は、上記ＬＥＤ素子側の側面に上記反射部を備えていることが好ましい。隔壁部材の側面に反射部を備えることにより、ＬＥＤ素子からの光を効率良く反射することができるからである。
【００２３】
（１）隔壁部材
本開示における隔壁部材は、基材および遮光部材の間に配置され、上記ＬＥＤ素子の周囲、より具体的には、上記ＬＥＤ素子が配置された領域の周囲に配置される部材である。
隔壁部材はＬＥＤ素子側の側面に可視光を反射する反射部を備える。
また、以下の説明において、ＬＥＤ素子側を「内側」と称し、ＬＥＤ素子側とは反対側を「外側」と称して説明する場合がある。
【００２４】
反射部は、少なくとも隔壁部材のＬＥＤ素子側の側面に備えられていれば特に限定されない。例えば、反射部は、隔壁部材のＬＥＤ素子側の側面のみに備えられていてもよい。また、例えば、反射部は、隔壁部材のＬＥＤ素子側の側面以外の面にさらに備えられていてもよい。
また、反射部は、ＬＥＤ素子側の側面に部分的に備えられていてもよく、上記側面全体に備えられていてもよいが後者がより好ましい。ＬＥＤ素子からの光を効率よく利用することができるからである。
【００２５】
（ａ）隔壁部材の形態
本開示における隔壁部材は、ＬＥＤ素子側の側面に反射部を備えることにより、ＬＥＤ素子からの光を反射させることができれば特に限定されない。隔壁部材の形態として好ましい実施形態としては、具体的には、隔壁部材の基材側の面と、上記反射部を備える上記側面とのなす角が鋭角である第一実施形態と、上記隔壁部材の基材側の面と、上記反射部を備える上記側面とのなす角が垂直である第二実施形態とが挙げられる。以下、各実施形態について説明する。
【００２６】
（ｉ）第一実施形態
第一実施形態の隔壁部材は、隔壁部材の基材側の面と、上記反射部を備える上記側面とのなす角が鋭角であることを特徴とする。
第一実施形態の隔壁部材は、上記反射部をＬＥＤ素子に対して傾けて配置することができるため、ＬＥＤ素子からの光を好適に表示部方向に反射させることができる。
【００２７】
図３（ａ）〜（ｃ）は本開示のＬＥＤ表示装置の他の例を示す概略断面図である。図３（ａ）〜（ｃ）に示されるＬＥＤ表示装置１０は、隔壁部材４の基材側の面４ｂ１と、反射部を備える側面４ｓとのなす角θ１が鋭角である構造を有する。反射部を備える隔壁部材の側面は、例えば、図３（ａ）に示されるように平坦面であってもよく、図３（ｂ）、（ｃ）に示されるように曲面であってもよい。隔壁部材の上記側面が曲面である場合、例えば、図３（ｂ）に示されるように凸状の曲面であってもよく、図３（ｃ）に示すように凹状の曲面であってもよい。
【００２８】
第一実施形態の隔壁部材は、基材側の面と、上記反射部を備える上記側面とのなす角が鋭角である。隔壁部材の基材側の面と反射部を備える側面とのなす角をθ１とする。θ１は、通常、垂直未満であり、８０°以下であることが好ましい。また、θ１は、例えば、３０°以上であることが好ましく、６０°以上であることがより好ましい。
θ１が上述した範囲内にあることにより、ＬＥＤ素子からの光を効率よく表示部方向に出射させることができるからである。
なお、上述したθ１は、例えば図３（ｂ）中、θ１で示される角度を指す。また、例えば、図３（ｂ）、（ｃ）に示すように、隔壁部材の側面４ｓが曲面である場合、θ１は、隔壁部材の基材側の面と、基材側の底面４ｂ１の内側（ＬＥＤ素子２側）の端部４ｅ１１を起点とする側面４ｓの接線とのなす角を指す。
【００２９】
本開示においては、例えば、図４（ａ）、（ｂ）に示す方法により、θ１を調整することが好ましい。図４（ａ）、（ｂ）は、外光反射を低減できるθ１の好ましい値の調整方法の一例を説明する説明図である。Ｖ１は、基材１、封止部材５に対する法線を示す。遮光部材３の（図４（ａ）中、左側の）反射部４ａと遮光部材３との接点Ａ１と、（図４（ａ）中、右側の）遮光部材３の観察者側の端部Ａ２とを結ぶ直線をＶ２とし、Ｖ２の垂線をＶ３とする。Ｖ１とＶ３とのなす角をθ２として、反射部４ａの側面４ｓの角度をθ２に設定すれば、反射部４ａの外光反射を低減できる。すなわち、図４（ｂ）に示すように、Ｖ１と反射部の側面とのなす角（９０°−θ１）がθ２となるように、θ１を調整することで、外光反射を効果的に低減することが可能となる。外光反射の低減効果について、具体例を挙げて説明する。
図５（ａ）は外光Ｌｏの入射角θ３が１８０°−θ２よりも小さい場合を示している。この場合、外光Ｌｏは反射部４ａでＬＥＤ素子２側に反射され外側に出ていかない。
図５（ｂ）は外光Ｌｏの入射角θ３が１８０°−θ２よりも小さく、反射部４ａで散乱を起こしている場合である。散乱光の強度が高い光は、図５（ａ）と同様に、ＬＥＤ素子２側に反射され外側に出ていかない。
図５（ｃ）は外光Ｌｏの入射角θ３が１８０°−θ２よりも大きい場合で、外光Ｌｏは遮光部材３により吸収される。外光の入射角θ３＝θ２の場合も同様である。
以上のように、図４（ａ）、（ｂ）に示す調整方法でθ２を設定することによって反射部４ａによる外光の反射を低減することができる。なお、上述したように、θ１はθ２から求めることができる。
【００３０】
隔壁部材を積層面側から見た形状（断面形状）は、通常、台形形状である。隔壁部材における基材側の面の幅をｗ１とし、遮光部材側の面の幅をｗ２としたとき、ｗ２／ｗ１の値は、所望の傾斜を有する程度であれば特に限定されない。ｗ２／ｗ１の値は、例えば、０．５以上であってもよく、０．６以上であってもよい。また、ｗ２／ｗ１の値は、通常、１未満であり、０．８以下であってもよく、０．７以下であってもよい。
なお、基材側の面の幅ｗ１は、例えば、図３（ａ）中、基材側の面４ｂ１の内側（ＬＥＤ素子２側）の端部４ｅ１１から外側（ＬＥＤ素子２側とは反対側）の端部４ｅ１２までの距離ｗ１を指す。遮光部材側の面の幅ｗ２は、例えば、図３（ａ）中、遮光部材側の面４ｂ２の内側（ＬＥＤ素子２側）の端部４ｅ２１から外側（ＬＥＤ素子２側とは反対側）の端部４ｅ２２までの距離ｗ２を指す。
【００３１】
隔壁部材の厚さ（高さ）は、通常、ＬＥＤ素子の厚さよりも厚くなるように設定される。隔壁部材の高さは、ＬＥＤ表示装置の大きさに応じて適宜選択することができ、特に限定されないが、例えば、３０μｍ以上５００μｍ以下、中でも５０μｍ以上４００μｍ以下であることが好ましい。
【００３２】
なお、隔壁部材におけるθ１、ｗ２／ｗ１の値および高さは、例えば、ＬＥＤ表示装置の断面のＳＥＭ（走査型電子顕微鏡）観察像を用いて測定することができる。
【００３３】
第一実施形態の隔壁部材は、隔壁部材の基材側の面と、上記反射部を備える上記側面とのなす角が鋭角であることにより、ＬＥＤ素子からの光を効率よく表示部方向に反射させることができる。一方で、隔壁部材は上記反射部における外光反射の影響でコントラストが低下することが懸念される。そこで、ＬＥＤ表示装置が第一実施形態の隔壁部材を有する場合は、上記遮光部材の上記開口側の端部が、上記隔壁部材の遮光部材側の面の端部よりも上記ＬＥＤ素子側に位置するように、隔壁部材および遮光部材を配置することが好ましい。隔壁部材と遮光部材とが上述した位置関係にあることにより、ＬＥＤ表示装置の外部から反射面へと進行する外光を、遮光部材を用いて吸収することができるためである。具体的には、反射面と平面視上重なる位置に遮光部材を配置することができるため、ＬＥＤ表示装置の内部へ進行する光を遮光部材を用いて吸収することができる。その結果、反射面における外光反射を抑制することができる。
ＬＥＤ表示装置においては、ＬＥＤ表示装置の表示面に対して垂直方向に進行する外光の反射が、コントラスト低下に大きく影響する。これに対し、上記配置においては、上記垂直方向に進行する外光を遮光部を用いて吸収することができるため、コントラストを良好にすることができる。
【００３４】
ここで、「隔壁部材の遮光部材側の面の端部」は、隔壁部材の遮光部材側の面におけるＬＥＤ素子側の端部を指す。「隔壁部材の基材側の面の端部」についても同様である。
【００３５】
遮光部材の上記開口側の端部が、上記隔壁部材の遮光部材側の面の端部よりも上記ＬＥＤ素子側に位置する場合、例えば、図６（ａ）に示すように、遮光部材３の開口側の端部３ｅは、隔壁部材４の遮光部材側の面４ｂ２の端部４ｅ２１よりも内側に位置し、隔壁部材４の基材側の面４ｂ１の端部４ｅ１１よりも外側に位置していてもよい。また、例えば、図６（ｂ）に示すように、遮光部材３の開口側の端部３ｅは、隔壁部材４の基材側の面４ｂ１の端部４ｅ１１と同等の位置にあってもよい。また、例えば、図示はしないが、遮光部材の開口側の端部は、隔壁部材の基材側の面の端部よりも内側に位置し、ＬＥＤ素子の端部よりも外側に位置していてもよい。また、例えば、図６（ｃ）に示すように、遮光部材３の開口側の端部３ｅは、ＬＥＤ素子２の端部２ｅと同等の位置にあってもよい。
なお、２つの部材の端部が同等の位置にあるとは、二つの部材の端部の平面視上の位置が厳密に一致する場合に限らず、±５μｍ程度の誤差を有する場合を含んでいてもよいものとする。
本開示のＬＥＤ表示装置においては、ＬＥＤ表示装置の大きさ、使用環境、隔壁部材におけるθ１の角度等の種々の要素に応じて、遮光部材および隔壁部材の好ましい位置関係を適宜選択することができる。
【００３６】
（ｉｉ）第二実施形態
第二実施形態の隔壁部材は、上記隔壁部材の基材側の面と、上記反射部を備える上記側面とのなす角が垂直であることを特徴とする。
【００３７】
図７（ａ）〜（ｃ）は、本開示のＬＥＤ表示装置を例示する概略断面図である。図７（ａ）〜（ｃ）に示されるＬＥＤ表示装置１０は、隔壁部材４の基材側の面４ｂ１と、反射部を備える側面４ｓとのなす角θ１が垂直である構造を有する。
【００３８】
第二実施形態においては、反射部を備える隔壁部材の側面が基材側の面に対して垂直であることにより、ＬＥＤ表示装置の内部へ進入した外光が、反射部に当たることを抑制することができる。その結果、反射部における外光反射を抑制することができる。
【００３９】
隔壁部材において「上記基材側の面と上記反射部を備える上記側面とのなす角が垂直である」とは、厳密な意味での垂直だけでなく、反射部における外光反射を抑制する効果を妨げない程度の角度の誤差を含む。上記基材側の面と上記反射部を備える上記側面とのなす角は、例えば、９０°±１０°の範囲内であり、９０°±５°の範囲内であることがより好ましく、９０°±３°の範囲内であることがより好ましい。
【００４０】
隔壁部材の断面形状は、例えば、矩形状であってもよく、台形形状であってもよい。隔壁部材の高さについては「（ｉ）第一実施形態」の項で説明した内容と同様とすることができるため、ここでの説明は省略する。
【００４１】
ＬＥＤ表示装置が第二実施形態の隔壁部材を有する場合は、遮光部材および隔壁部材の位置関係については、特に限定されず、ＬＥＤ表示装置毎に適宜選択することができる。例えば、図７（ａ）に示すように、遮光部材３の開口側の端部３ｅは、隔壁部材４の遮光部材３側の面４ｂ２の端部４ｅ２１と同等の位置にあってもよい。また、例えば、図７（ｂ）に示すように、遮光部材３の開口側の端部３ｅは、隔壁部材４の遮光部材３側の面４ｂ２の端部４ｅ２１よりも内側（ＬＥＤ素子２側）に位置していてもよい。また、例えば、図７（ｃ）に示すように、遮光部材３の開口側の端部３ｅは、ＬＥＤ素子２の端部２ｅと同等の位置にあってもよい。
【００４２】
（ｂ）隔壁部材の配置
隔壁部材は、ＬＥＤ素子が配置された領域の周囲に配置される。隔壁部材の具体的な配置は、ＬＥＤ素子の配置に応じて適宜選択される。
隔壁部材の配置について、具体例を挙げて説明する。図８（ａ）、（ｂ）および図９（ａ）〜（ｃ）は本開示における隔壁部材の配置を説明する概略平面図である。
例えば、図８（ａ）に示すように、複数色のＬＥＤ素子２Ｒ、２Ｇ、２Ｂが集積されてＬＥＤユニット２Ｕを構成している場合（Ｒ、Ｇ、ＢのＬＥＤ素子を１組として用いる場合）、図８（ｂ）に示すように、隔壁部材４はＬＥＤユニット２Ｕが配置された領域の周囲に配置されることが好ましい。一方、例えば、図９（ａ）に示すように、複数色のＬＥＤ素子２Ｒ、２Ｇ、２Ｂがそれぞれ等間隔で配置されている場合、図９（ｂ）に示すように、隔壁部材４は各ＬＥＤ素子２Ｒ、２Ｇ、２Ｂが配置された領域の周囲に配置されてもよい。図９（ｂ）の場合、隔壁部材４で囲まれた領域内に１色のＬＥＤ素子が配置される。また、例えば、図９（ｃ）に示すように、隔壁部材４は、画素を構成する複数色のＬＥＤ素子２Ｒ、２Ｇ、２Ｂが配置された領域の周囲に配置されてもよい。図９（ｃ）の場合、隔壁部材４で囲まれた領域内に、複数色のＬＥＤ素子２Ｒ、２Ｇ、２Ｂが配置される。
また、隔壁部材は、ＬＥＤ素子が配置された領域の周囲の一部に配置されてもよく、全部に配置されてもよい。後者の場合、隔壁部材はＬＥＤ素子が配置された領域の周囲全体を囲むように配置される。本開示においては、中でも、後者がより好ましい。反射部をＬＥＤ素子の周囲全体に配置することができるため、ＬＥＤ素子からの光を効率よく利用することができるからである。
【００４３】
隔壁部材は、例えば、図１０に示すようにＬＥＤ素子２の台座層４１と一体で形成されていてもよい。この場合、台座層４１のＬＥＤ素子２が配置された面側にも反射部が配置されていてもよい。台座層は、例えば、後述する隔壁部材の材料および形成方法を用いることで形成することができる。
【００４４】
（２）反射部の構成、材料
本開示における反射部は、ＬＥＤ素子からの光を反射することが可能な構成および材料であれば特に限定されない。上述したように、本開示においては、ＬＥＤ表示装置が隔壁部材をさらに有し、隔壁部材が反射部を備えることが好ましい。
このような隔壁部材の構成は、ＬＥＤ素子側の側面に可視光を反射する反射部を備えることができれば特に限定されない。例えば、隔壁部材は、所望の反射特性を有する反射部のみで構成される単層部材であってもよい。また、例えば、隔壁部材は、所望の反射特性を有する反射部と上記反射部を支持する支持層との別体で構成される積層材であってもよい。
【００４５】
（ａ）単層部材である場合
隔壁部材が単層部材である場合、隔壁部材全体が反射部となる。反射部は、例えば、白色樹脂材料で形成される隔壁部材を挙げることができる。
【００４６】
反射部の反射特性は、可視光を反射することができる程度であれば特に限定されない。可視光（３８０ｎｍ以上７８０ｎｍ以下の波長域）における反射部の反射率は、例えば、５０％以上であることが好ましく、７０％以上であることがより好ましく、８０％以上であることが特に好ましい。上記反射率は、顕微分光装置により測定することができる。
【００４７】
隔壁部材が単層部材である場合、隔壁部材の材料としては、例えば、白色樹脂材料を挙げることができる。白色樹脂材料は、バインダ樹脂中に白色顔料を分散させた材料である。白色樹脂材料に用いられる白色顔料としては、酸化チタン、シリカ、タルク、カオリン、クレイ、硫酸バリウム、水酸化カルシウム、などを用いることができる。
【００４８】
バインダ樹脂に用いられる樹脂としては、例えば、感光性樹脂、硬化樹脂を挙げることができる。感光性樹脂としては、例えば、アクリレート系、メタクリレート系、ポリ桂皮酸ビニル系、もしくは環化ゴム系等の反応性ビニル基を有する感光性樹脂を用いることができる。また、硬化樹脂としては、ポリメチルメタクリレート樹脂、ポリアクリレート樹脂、ポリカーボネート樹脂、ポリビニルアルコール樹脂、ポリビニルピロリドン樹脂、ヒドロキシエチルセルロース樹脂、カルボキシメチルセルロース樹脂、ポリ塩化ビニル樹脂、メラミン樹脂、フェノール樹脂、アルキッド樹脂、エポキシ樹脂、ポリウレタン樹脂、ポリエステル樹脂、マレイン酸樹脂、ポリアミド樹脂等を用いることができる。
【００４９】
白色樹脂材料は、必要に応じて、光重合開始剤や、増感剤、塗布性改良剤、現像改良剤、架橋剤、重合禁止剤、可塑剤、難燃剤等を含有させてもよい。
【００５０】
隔壁部材の材料が白色樹脂材料である場合、隔壁部材の形成方法としては特に限定されず、一般的な樹脂部材の形成方法を用いることができる。隔壁部材の形成方法としては、例えば、フォトリソグラフィ法、印刷法、インクジェット法等を挙げることができる。
【００５１】
（ｂ）積層部材である場合
隔壁部材が支持層および反射部を有する積層部材である場合、反射部は、支持層のＬＥＤ素子側の側面に備えられる。例えば、図１１（ａ）、（ｂ）に示すように、隔壁部材４は支持層４ｃと反射部４ａとを有する。反射部４ａは支持層４ｃの少なくともＬＥＤ素子２側の側面４ｓに配置されていれば特に限定されない。例えば、図１１（ａ）に示すように、反射部４ａは支持層４ｃのＬＥＤ素子２側の側面のみに配置されていてもよい。また例えば、図１１（ｂ）に示すように、反射部４ａは支持層４ｃのＬＥＤ素子２側の側面４ｓ以外の面にさらに配置されていてもよい。図１１（ｂ）においては、支持層４ｃ全体を覆うように反射部４ａが配置されている例を示している。
【００５２】
反射部の反射特性は、可視光を反射することができる程度であれば特に限定されない。可視光（３８０ｎｍ以上７８０ｎｍ以下の波長域）における反射部の反射率は、５０％以上であることが好ましく、７０％以上であることがより好ましく、８０％以上であることが特に好ましい。上記反射率は、顕微分光装置により測定することができる。
【００５３】
支持層の材料としては、例えば、樹脂材料を挙げることができる。支持層に用いられる樹脂材料としては、例えば、上述した白色樹脂材料のバインダ樹脂として用いられる樹脂材料から適宜選択して用いることができる。
反射部の材料としては、白色樹脂材料または金属材料を挙げることができる。金属材料としては、例えば、例えば、銀、金、銅、錫、クロム、プラチナ、アルミニウム、パラジウム、モリブデン、ニッケルなどの金属及びこれらの合金を用いることができる。また、これらの金属化合物としては、金属の酸化物、窒化物、炭化物などを用いることができる。なかでも特に好ましいのは、上記したように無彩色を呈するものであり、具体例を挙げれば、銀、パラジウム及び銅からなる銀合金（ＡＰＣとも言う）、アルミニウム、錫、ニッケル、クロムなどを用いることができる。
反射部の厚さは、所望の反射特性を有していれば特に限定されないが、例えば、１０ｎｍ以上１μｍ以下であってもよい。
【００５４】
隔壁部材が支持層および反射部を有する場合、支持層の形成方法は一般的な樹脂部材の形成方法と同様とすることができる。反射部の形成方法は、例えば、反射部の材料が白色樹脂材料である場合、フォトリソグラフィ法、印刷法、インクジェット法等を挙げることができる。反射部の材料が金属材料である場合、例えば、スパッタ法、蒸着法、イオンプレーティング法等の物理的気相成長法、ＣＶＤ（Chemical Vapor Deposition）法などの化学的気相成長法等の気相成長法を挙げることができる。また、反射部の材料が金属材料である場合、金属インクを用いた塗布法等を用いることもできる。
【００５５】
２．遮光部材
遮光部材は、上記基材のＬＥＤ素子が配置された面側と同一の面側に配置され、上記ＬＥＤ素子が配置された領域と平面視上重なる開口を有する部材である。
【００５６】
遮光部材は、基材のＬＥＤ素子が配置された面側と同一の面側に配置されていればよく、例えば、図１（ｂ）に示すように、基材１上に配置されていてもよい。図１（ｂ）においては、封止部材５を介して基材１上に遮光部材３が配置されている例を示している。また、図１２に示すように、透明基板１１に遮光部材３を形成して、ＬＥＤ素子２に対応する位置に開口部を設けた前面板を作成し、前面板を隔壁部材４に重ねてもよい。
【００５７】
本開示のＬＥＤ表示装置は、上記遮光部材の上記開口側の端部が、上記隔壁部材の上記基材側の面の端部よりも上記ＬＥＤ素子側に位置する構造を有することが好ましい。遮光部材の開口の形状については、ＬＥＤ素子が配置された領域の形状に応じて適宜選択される。
例えば、図１３（ａ）に示すように、Ｒ、Ｇ、Ｂの３つのＬＥＤ素子を一組にして遮光部材に開口部を設けてもよい。図１３（ａ）の遮光部材３は、図８（ａ）のＬＥＤ表示装置１０に対応する。また、図１３（ａ）の遮光部材３を有するＬＥＤ表示装置は、例えば、図１２で示される積層構造を有していてもよい。
また、例えば、図１３（ｂ）に示すように、Ｒ、Ｇ、ＢのＬＥＤ素子毎に遮光部材の開口部を設けてもよい。図１３（ｂ）の遮光部材３は、図９（ａ）のＬＥＤ表示装置に該当する。図１３（ｂ）の遮光部材３を有するＬＥＤ表示装置は、例えば、図１０で示される積層構造を有していてもよい。
【００５８】
本開示においては、遮光部材の開口側の端部が、ＬＥＤ素子の端部と同等の位置にあってもよい。外光がＬＥＤ表示装置内に進入することを好適に抑制することができるからである。また、遮光部材の基材側の面と、遮光部材の開口側の側面とのなす角は、例えば、図１（ｂ）に示すように垂直であってもよく、図１０に示すように鋭角であってもよい。
【００５９】
遮光部材の材料は、例えば、例えば黒色顔料および黒色染料の少なくとも一方をバインダ樹脂中に分散させることで得られる。黒色顔料としては、具体的には、カーボンブラックやチタンブラック等が挙げられる。
バインダ樹脂は、例えば、感光性樹脂、硬化樹脂を挙げることができる。感光性樹脂および硬化樹脂の詳細については、上述した「（１）隔壁部材」における白色樹脂材料のバインダ樹脂と同様とすることができるため、ここでの説明は省略する。
【００６０】
遮光部材の厚さは、所望の遮光性を有していれば特に限定されないが、例えば、０．５μｍ以上とすることができ、また２μｍ以下とすることができる。
【００６１】
遮光部材の形成方法は、所望の遮光部材を形成することができれば特に限定されないが、例えば、フォトリソグラフィ法、インクジェット法、印刷法等が挙げられる。
【００６２】
本開示においては、遮光部のＬＥＤ素子が配置された面側に、第二の反射部が配置されていてもよい。ＬＥＤ素子からの光を反射させることにより、光の利用効率をより高くすることができるからである。なお、第二の反射部の詳細については、上述した「（１）隔壁部材  （３）隔壁部材の構成、材料  （ｉｉ）積層部材である場合」の項で説明した反射部の詳細と同様とすることができるため、ここでの説明は省略する。
【００６３】
３．ＬＥＤ素子
ＬＥＤ素子は、基材の一方の面側に配置される。
ＬＥＤ素子は、通常、赤色ＬＥＤ素子、緑色ＬＥＤ素子および青色ＬＥＤ素子の３色のＬＥＤ素子を有する。また、ＬＥＤ素子は、少なくとも上述した３色のＬＥＤ素子を用いて、画面の最小単位である、画素を構成する。画素を構成するＬＥＤ素子は、上述した３色のＬＥＤ素子を少なくとも有していれば特に限定されず、他の色のＬＥＤ素子をさらに有していてもよい。他の色のＬＥＤ素子としては、例えば、白色ＬＥＤ素子を挙げることができる。
【００６４】
ＬＥＤ素子の配置は、本開示のＬＥＤ表示装置の用途、大きさ等に応じて適宜選択することができ、特に限定されない。例えば、図８（ａ）に示すように、複数色のＬＥＤ素子が集積されてＬＥＤユニットを構成するように配置されていてもよい。また、例えば、図９（ａ）に示すように、複数色のＬＥＤ素子がそれぞれ等間隔で配置されていてもよい。なお、ＬＥＤユニットは発光ユニットと称される場合もある。
【００６５】
また、ＬＥＤ素子は、マイクロサイズであることが好ましく、例えば、１０μｍ角以上１００μｍ角以下のサイズを有していてもよく、５０μｍ角以上１００μｍ角以下のサイズを有していてもよい。
【００６６】
また、ＬＥＤユニットのピッチは、例えば、０．３ｍｍ以上２．５ｍｍ以下であってもよい。なお、ＬＥＤユニットのピッチは、通常、隣接するＬＥＤユニットにおいて、一方のＬＥＤユニットの中心から他方のＬＥＤユニットの中心までの間の距離をいい、例えば、図８（ａ）で示される距離ｚ１およびｚ２を指す。
ＬＥＤ素子については、一般的なＬＥＤ素子を用いることができるため、ここでの説明は省略する。
【００６７】
４．基材
本開示における基材は、ＬＥＤ素子、遮光部材および隔壁部材を支持する部材である。
基材の材質としては、一般的な表示装置に用いられる材質であれば特に限定されず、例えば、ガラス基材、ガラスエポキシ基材を挙げることができる。本開示においては、中でもガラス基材であることが好ましい。ガラス基材に用いられるガラスとしては、例えば、ソーダライムガラス、無アルカリガラス、石英ガラス等を挙げることができる。
【００６８】
基材は、貫通孔を有していてもよく、有していなくてもよい。貫通孔の径の大きさは、表示パネルの用途に応じて適宜選択することができ、特に限定されないが、例えば、１５μｍ以上２００μｍ以下であってもよく、５０μｍ以上１００μｍ以下であってもよい。
【００６９】
基材の厚さは、ＬＥＤ表示装置の大きさ、用途に応じて適宜選択することができ、特に限定されない。基材の厚さは、例えば、１００μｍ以上７００μｍ以下であることが好ましく、３００μｍ以上５００μｍ以下であることがより好ましく、３００μｍ以上４００μｍ以下であることが特に好ましい。
【００７０】
５．その他の構成
本開示のＬＥＤ表示装置は、上述した各構成を有していれば特に限定されず、必要な構成を適宜選択して用いることができる。その他の構成としては、例えば、封止部材、駆動ＩＣ、薄膜トランジスタ、配線部材、保護部材、光学機能部材、および前面板等を挙げることができる。
【００７１】
駆動ＩＣは、ＬＥＤ素子毎の発光を制御する部材である。薄膜トランジスタは、ＬＥＤ素子毎に電圧印加の有無を制御する部材である。配線部材は、駆動ＩＣ、薄膜トランジスタ、およびＬＥＤ素子を電気的に接続させる部材である。保護部材は、駆動ＩＣ、薄膜トランジスタおよび配線部材等を保護するために配置される部材である。
駆動ＩＣ、薄膜トランジスタ、および配線部材は、ＬＥＤ素子が配置された面側と同一の面側に配置されてもよく、ＬＥＤ素子が配置された面とは反対の面側に配置されてもよい。また、図１（ｂ）で説明したように、本開示のＬＥＤ表示装置１０は、装置の構成に応じて、薄膜トランジスタおよび配線部材の少なくともいずれかを有していてもよい。
【００７２】
封止部材は、ＬＥＤ素子を封止する部材である。また、封止部材は、例えば、平坦化部材を兼ねていてもよい。
【００７３】
光学機能部材は、ＬＥＤ表示装置の遮光部材よりも観察側に配置される部材であり、例えば、ＬＥＤ表示装置の前面における外光反射を抑制する機能を有する部材である。光学機能部材としては、例えば、ＬＥＤ表示装置の前面と屈折率が異なる反射防止部材が挙げられる。本開示のＬＥＤ表示装置は、反射防止部材と併用することにより、反射部における外光反射をより効果的に抑制することができる。特に、表示面に対し斜め方向に入射した外光の屈折角を小さくでき、反射部で反射した反射光が表示部方向に出射せずに、ＬＥＤ表示装置の部材中に吸収させやすくなる。
また、光学機能部材は、例えば、低反射部材であってもよい。
ＬＥＤ表示装置の光学機能部材の材料としては、例えば、低反射フィルム、反射防止フィルム等を挙げることができる。
【００７４】
駆動ＩＣ、薄膜トランジスタ、配線部材、封止部材、保護部材および前面板の詳細については、一般的なＬＥＤ表示装置に用いられる部材と同様とすることができるため、ここでの説明は省略する。
【００７５】
ＩＩＩ．ＬＥＤ表示装置
本開示のＬＥＤ表示装置の用途は限定されない。本開示のＬＥＤ表示装置は、例えば複数枚の表示装置を配列させたタイリング表示装置を構成するために用いることができる。
【００７６】
Ｂ．ＬＥＤ表示装置用基板
本開示のＬＥＤ表示装置用基板は、基材と、上記基材の一方の面側に配置され、上記ＬＥＤ素子が配置される領域の周囲に配置された隔壁部材とを有し、上記隔壁部材は、上記ＬＥＤ素子が配置される領域側の側面に反射部を備える。
【００７７】
本開示のＬＥＤ表示装置用基板について図を用いて説明する。図１４（ａ）、（ｂ）は本開示のＬＥＤ表示装置用基板の一例を示す概略断面図である。図１４（ａ）、（ｂ）に示されるＬＥＤ表示装置用基板は、基材１と、基材１の一方の面側に配置され、ＬＥＤ素子が配置される領域の周囲に配置された隔壁部材４とを有し、隔壁部材４は、ＬＥＤ素子が配置される領域側の側面４ｓに反射部４ａを備える。
【００７８】
本開示によれば、上述した反射部を備えた隔壁部材を有することにより、ＬＥＤ表示装置に用いた際に、輝度を良好にすることができる。
【００７９】
本開示における隔壁部材は、例えば、基材側の面と反射部を備える側面とのなす角θ１が鋭角であってもよく、垂直であってもよい。
本開示のＬＥＤ表示装置用基板に用いられる基材、および隔壁部材については上述した「Ａ．ＬＥＤ表示装置」の項目で説明した内容と同様とすることができるため、ここでの説明は省略する。
【００８０】
なお、本開示は、上記実施形態に限定されるものではない。上記実施形態は、例示であり、本開示の特許請求の範囲に記載された技術的思想と実質的に同一な構成を有し、同様な作用効果を奏するものは、いかなるものであっても本開示の技術的範囲に包含される。
【符号の説明】
【００８１】
１    …  基材
２    …  ＬＥＤ素子
３    …  遮光部材
４    …  隔壁部材
４ａ    …  反射部
４ｓ    …  隔壁部材のＬＥＤ素子側の側面
１０    …  ＬＥＤ表示装置
２０    …  ＬＥＤ表示装置用基板
【図１】
2019134025.tif 000003
【図２】
2019134025.tif 000004
【図３】
2019134025.tif 000005
【図４】
2019134025.tif 000006
【図５】
2019134025.tif 000007
【図６】
2019134025.tif 000008
【図７】
2019134025.tif 000009
【図８】
2019134025.tif 000010
【図９】
2019134025.tif 000011
【図１０】
2019134025.tif 000012
【図１１】
2019134025.tif 000013
【図１２】
2019134025.tif 000014
【図１３】
2019134025.tif 000015
【図１４】
2019134025.tif 000016
【図１５】
2019134025.tif 000017